(57)【要約】      （修正有）【課題】指のタッチなどによる接触感染を防ぐのに好適な感染予防タッチ棒を提供する。【解決手段】感染予防タッチ棒１は、棒状体２とキャップ４とが一体となって構成される。先端部が細くなった棒状体２において、その先端部２−３の先端３は、非金属製で筆記機能はないものであり、キャップ４をはめたときに、間隙を設けた形でその先端部２−３を覆う機能を備えている。【選択図】図１
0003230493.tif 000002
【実用新案登録請求の範囲】
【請求項１】
先端部が細くなった棒状体において、その先端部の先端は、非金属製で筆記機能はないものであり、また、間隙を設けた形でその先端部を覆う機能を備えていることを特徴とする感染予防タッチ棒。
【請求項２】
その先端部を覆う機能が、その先端部を覆いその先端部からはめ外しでき、はめたときに先端部との間で間隙ができるキャップと一体として用い、そのキャップをはめることによるものであるか、または、その先端部が、それ以外の本体の中に出し入れでき、入れるときにその本体との間に間隙ができる機構によるものであるか、のいずれかであることを特徴とする請求項１記載の感染予防タッチ棒。
【考案の詳細な説明】
【技術分野】
【０００１】  本考案は、ウイルスなどの感染予防に適したタッチ棒に関する。
【背景技術】
【０００２】  ウイルス等による感染症の感染の仕方としては、呼気感染と接触感染とがあり、後者の感染は、通常、不特定多数の人が使うため、物を手でつかんだり、その物にタッチしたりすること（押すことも含む）を介して引き起こされる。【０００３】    このうち、指でのタッチによる感染を防ぐため、例えば、エレベーターの行く先階ボタンを指で直に（じかに）押すのを止め、「つまようじ」とか耳かき用の「綿棒」を使ってそれで押すなどもされている。しかし、それらの押すのに使うものは、使う度に破棄されるので、環境的に「エコ」とは言えない。【０００４】  また、他に、ゴムなどの手袋をはめて、その指先でボタンなどに触れて押す方法もあり、医療面では、特開２０１６−８９３１９号に見られるように、手袋の外面（ウイルスが付着しているかも知れない）に触れないように手袋を手から外す工夫をした手袋なども知られているが、着脱は少なからず面倒で、その場合、手袋の再使用は考えられていない。
【先行技術文献】
【特許文献】
【特許文献】特開２０１６−８９３１９号公報
【考案の概要】
【考案が解決しようとする課題】
【０００５】  本考案の目的は、手袋のような着脱の面倒さがなく、かつ、ウイルス感染の予防に適したタッチ棒を提供することである。本考案者は、種々検討しようやく本考案に到達した。
【課題を解決するための手段】
【０００６】  請求項１の考案は、先端部が細くなった棒状体において、その先端部の先端は、非金属製で筆記機能はないものであり、また、間隙を設けた形でその先端部を覆う機能を備えていることを特徴とする感染予防タッチ棒である。
棒状体とは、細長く棒状のものをいい、断面形状などは問わない。この棒状体は先端部が細くなっている。【０００７】  この細くなった部分は、それ以外の部分に対して、常に先端位置にある必要はなく、目的のタッチの操作のときだけ先端位置にあるものでもよい。具体的には、例えば、棒状体の大部分の構成部分に対して、その棒の方向で可動であり、タッチの操作のときだけ先端部になり、タッチの操作を終えたのちは、引っ込んでその状態のときは先端位置にはない、というものであっても差し支えない。【０００８】  この先端部の先端は、ボタンなどの対象物にタッチさせる部分であり、非金属製で、筆記の機能はない。金属製では、対象物を傷つけるおそれがあるからで、また、筆記機能があると、対象物を汚してしまうからである。その先端の材質そしては、木製、プラスチック製、繊維製などがあげられる。【０００９】  そして、本考案のタッチ棒は、間隙を設けた形でその先端部を覆う機能を備えている。
そのような機能を設ける代表的な方法の１つとして、その先端部を覆い、その棒状体の先端部寄りの端方にはまるキャップを用い、その際、キャップと先端部との間に間隙を設けることとし、この棒状体と、このヤップとを一体として用いる構成とする方法があげられる。【００１０】  また、別な代表的な方法の１つとしては、上記の先端部が、棒状体の中に入ったり出たり（引っ込んだり、飛び出したり）する構造とし、その際、入るときに先端部とそれが入る部分の棒状体との間に、間隙を設ける構成とする方法があげられる。
その場合に、間隙を設ける範囲は、先端から数ミリ程度あれば足り、必ずしも、先端部全体とする必要はない。【００１１】  次に、請求項２の考案は、上記の中で説明が済まされているので、それ以上の説明は省略する。
【考案の効果】
【００１２】  本考案のタッチ棒によれば、不特定多数の人が通常触れる対象物にタッチする際、指で直接タッチするのではなく、そのタッチ棒の先端でタッチする。したがって、タッチに際して、ウイルス感染の恐れはない。
また、タッチする先端部の先端は、非金属製で、筆記機能がないので、タッチに際して、その対象物を傷つけることがなく、また、汚すこともない。【００１３】  そして、そのタッチにより、タッチ棒の先端に仮にウイルウスが付着してしまったとしても、間隙を設けた形でその先端部を覆う機能を備えているので、間隙があることによりこすれなどによりウイルスが周囲に広がることもなく、タッチの先端を覆った状態にして保持さえしておけば、次の使用までの間に、タッチ棒の先端に手や指がうっかり触れて感染してしまう、ということはまず生じない。【００１４】    したがって、タッチが必要なときに、指ではなく、このタッチ棒を使うこととすれば、「つまようじ」とか「めん棒」などを使う場合に比べ、捨てるものはなく、環境にエコであり、また、手袋を使う場合に比べ、操作が簡単で、着脱などの煩雑さを必要としない。【００１５】  また、請求項２の考案で、先端部を覆う機能が、先端部を覆い先端からはめはずしできるキャップを用いるものによる場合は、考案のタッチ棒を作る部品点数が少なく、その製作を簡単にできるという利点がある。【００１６】  また、その先端部を覆う機能が、その先端部を覆い、その先端部がそれ以外の本体の中に出し入れできる機構のものとする場合には、考案のタッチ棒を製作するのに部品点数が増えそれに伴う煩雑さはあるが、片手で操作しやすくできるという利点がある。
【図面の簡単な説明】
【００１７】
【図１】  図中（イ）、（ロ）、（ハ）は、本考案実施例１の平面図であり、（ロ）は棒状体、（ハ）はキャップ、（イ）は、棒状体にキャップをはめたときの状態のタッチ棒をそれぞれ示す。
【図２】  図中（イ）、（ロ）、（ハ）は、本考案実施例２の図であり、（イ）と（ハ）は（最大径部分での）断面図である（ただし、芯棒は、断面を示す斜線を省いている）。  また、（ロ）は一部平面図を示す。
【考案を実施するための形態】
【００１８】  以下に本考案の実施例を記載する。ただし、実施例の一部にすぎないので、本考案は、これらの記載になんら制限されるものではなく、本考案は、さらにいろんな態様での実施が可能である。以下、図で以って実施例を説明する。
【実施例１】
【００１９】  その実施例を図１の（イ）、（ロ）、（ハ）に示す。
２は、プラスチック製の棒状体で、先の方にキャップにピタリとはまるキャップはまり部２−２を、さらにその先に、そのはまり部より、さらに（径が）細くなった先端部２−３を設けている。先端部２−３の先端が３で、その先端３に筆記の機能はないものとしている。図（ハ）に示す４は、プラスチック製のキャップで、図（イ）のキャップはまり部２−２位置で、棒状体２にぴたりとはまり、図（イ）の左方に示すように、このキャップ４をはめたときに、先端部２−３との間で、５に示す間隙ができる関係としてある。【００２０】  この実施例では、棒状体２と、このキャップ４とが一体となって、本考案のタッチ棒１を構成する。
キャップ４は、タッチに使わないときは、棒状体２にかぶせてはめ、タッチに使うときだけ、棒状体２から外す。
【実施例２】
【００２１】  図２の（イ）、（ロ）、（ハ）に示す。
図中７は、プラスチック製の筒体、８はその筒体に挿通する芯体で、７と８とでもって本考案のタッチ棒６を構成する。
筒体７には、その先端方にスプリング１０を収容するための空室７−２を設け、さらにその先は先細り先端７−３としている。また、上方（図で右方）には、図（ロ）に示すように、「Ｌ」（字）形の溝７−４を設けている。そして、芯棒の上端に、芯棒と直角にかつ筒体の外まで伸びるように設けた係止レバー８−４が、その溝により（筒体に沿って）上下動し、さらに横に倒れることができるようにしている。【００２２】  そして、係止レバー８−４を筒体の溝７−４にそって下方向（Ｘ１方向）に動かし、「Ｌ」形溝の下端に当たって止まった位置で、芯棒の先端９が、筒体の先端部７−３から５ミリほど突き出る。そして、その状態で、図（イ）に示すように、係止レバー８−４を横に倒すと（傾けると）、そのレバーから手を放しても、芯棒は上下動ができなく、その位置で止まる。
その状態の時の係止リング８−３と空室７−２の上端７−５との間隔を１０ミリほどとしておくと、（イ）の状態でタッチの作業を済ませてから、係止レバー８−４を起こすと（立てると）、芯棒８は上下動ができるようになり、スプリング１０の力により、上の方に動き、係止リング８−３が空室の上端７−５に当たった時に動きは止まる。【００２３】  その状態の図が（ハ）で、芯棒の先端９が、筒体の先端部７−３内へ５ミリほど入り込む。この状態の時に、芯棒の先端部８−２と筒体の先端７−３との間には間隙１１（隙間。０．５ミリほど）があるようにしてある。
芯棒は、筒体の中に入り込み、芯棒の先端９に仮にウイルスが付着していても、その先端９（タッチ部）は、外から見にくい位置にあり、うっかり手や指が触れるようなことはまず起こらない。【００２４】  なお、ノック式ボールペンなどに採用される「ノック棒」、「回転子」、「カム」の機構を取り入れると、芯棒の筒体からの出し入れは、ノック棒を押す動作だけで済ますことができる。【００２５】  また、一般に市販されている、キャップ付のサインペン、マーカーなども棒状体であり、先細の先端部は通常金属製ではないので、先端部とキャップの内側との間に（ピッタリではなく）間隙が存在するものであれば、インクを除けば、用途を変えて、本考案のタッチ棒として利用することができる。
【産業上の利用の可能性】
本考案は、感染症での接触感染の予防に有用である。
【符号の説明】
【００２６】  １  ・・・タッチ棒
２  ・・・棒状体
２−２  キャップはまり部
２−３  先端部
３  ・・・先端
４  ・・・キャップ
５  間隙
６  ・・・タッチ棒
７  ・・・筒体
７−２  空室
７−３  先端部
７−４  Ｌ形溝
７−５  空室上端
８  ・・・芯棒
８−２  ・・先端部
８−３  ・・係止リング
８−４  ・・係止レバー
９  ・・・先端
１０  ・・・スプリング
１１  ・・・間隙
【図１】
0003230493.tif 000003
【図２】
0003230493.tif 000004